(57)【要約】【課題】プリント注文受付装置の設置環境に拘らず、可及的に安定動作を可能とする。【解決手段】写真撮影機能付きの携帯電話装置ＨＰに通信ケーブル３５を接続して写真プリント作製用の画像データを取込むプリント注文受付装置において、前記通信ケーブル３５を収納するケーブル収納部２０が設けられ、前記ケーブル収納部２０に、前記通信ケーブル３５を取出すときに開き操作される開閉式扉体３１と、前記開閉式扉体３１の開き動作を許容する許容状態と前記開閉式扉体３１の開き動作を阻止する阻止状態とに切り換えられるロック手段ＬＫとが備えられ、プリント注文を受付ける処理操作と連動して、前記ロック手段ＬＫを前記阻止状態と前記許容状態とに切り換え制御する扉開閉管理装置が設けられている。【選択図】図１
2005322023.tif 000002
【特許請求の範囲】
【請求項１】
写真撮影機能付きの携帯電話装置に通信ケーブルを接続して写真プリント作製用の画像データを取込むプリント注文受付装置であって、
前記通信ケーブルを収納するケーブル収納部が設けられ、
前記ケーブル収納部に、前記通信ケーブルを取出すときに開き操作される開閉式扉体と、前記開閉式扉体の開き動作を許容する許容状態と前記開閉式扉体の開き動作を阻止する阻止状態とに切り換えられるロック手段とが備えられ、
プリント注文を受付ける処理操作と連動して、前記ロック手段を前記阻止状態と前記許容状態とに切り換え制御する扉開閉管理装置が設けられているプリント注文受付装置。
【請求項２】
利用者が写真プリントの作製料金を投入するための料金投入部が設けられ、
前記扉開閉管理装置は、前記料金投入部から設定金額の料金が投入されたときに、前記ロック手段を前記阻止状態から前記許容状態へ切り換え制御するように構成されている請求項１記載のプリント注文受付装置。
【請求項３】
前記開閉式扉体の開閉状態を検出する開閉状態検出手段が設けられ、
前記扉開閉管理装置は、前記ロック手段を前記阻止状態から前記許容状態へ切り換え制御した後、前記通信ケーブルが前記ケーブル収納部に収納されて、開き操作された前記開閉式扉体が閉じ状態となったことを前記開閉状態検出手段が検知した後に、前記ロック手段を前記許容状態から前記阻止状態へ切り換え制御すると共に、利用者に引き渡すべき物品を引き渡すための処理を実行させるように構成されている請求項２記載のプリント注文受付装置。
【請求項４】
前記扉開閉管理装置は、前記ロック手段を前記阻止状態から前記許容状態へ切り換え制御した後、前記通信ケーブルが前記ケーブル収納部に収納されて、開き操作された前記開閉式扉体が閉じ状態となったことを前記開閉状態検出手段が検知した後に、前記ロック手段を前記許容状態から前記阻止状態へ切り換え制御すると共に、プリント処理の開始を指示入力されたときは、接続されているプリンタにプリント処理の開始を指示し、プリント注文の中止を指示入力されたときは、既に投入されている料金を利用者に返金させるように構成されている請求項３記載のプリント注文受付装置。
【請求項５】
前記ケーブル収納部に、閉じ状態の前記開閉式扉体との間の隙間を封止する封止部材が備えられている請求項１〜４のいずれか１項に記載のプリント注文受付装置。
【発明の詳細な説明】
【技術分野】
【０００１】
本発明は、写真撮影機能付きの携帯電話装置に通信ケーブルを接続して写真プリント作製用の画像データを取込むプリント注文受付装置に関する。
【背景技術】
【０００２】
写真撮影機能付きの携帯電話装置では、近年、撮影画像の高画質化が進んでおり、単に携帯電話装置の表示画面で閲覧するのみならず、デジタルカメラによる撮影画像のように写真プリントとして出力したいという要求が強くなって来ている。
このような要求に応えるものとして、下記特許文献１に記載のような、インターネットを利用して携帯電話装置から画像データを送信してプリント出力するシステムが考えられている他、プリント注文受付装置を街頭あるいは店頭等に設置して、携帯電話装置からプリント対象の画像の画像データを取込むことも考えられている。このようなプリント注文受付装置には、写真プリント装置と一体化して備えられる場合と、写真プリント装置とは別体に備えられてプリント注文の受付端末として機能する場合とがある。
【０００３】
携帯電話装置からプリント注文受付装置へプリント対象の画像データを取込む手段としては、メモリーカードを着脱可能な携帯電話装置では、撮影画像を記憶保存したメモリカードを携帯電話装置から取外して、プリント注文受付装置に備えたメモリーカードリーダにて画像データを読取らせることも可能であるが、携帯電話装置に備えられた外部接続端子とプリント注文受付装置とを通信ケーブルにて接続して画像データを取込ませたいという要望も依然として多い。
【０００４】
この通信ケーブルをプリント注文受付装置に備えさせる場合、従来は、主に店舗内に配置して店舗の従業者が管理し易い状況下で利用されることを想定していることもあって、プリント注文受付装置から引き出された通信ケーブルは、使用時及び未使用時に拘らずそのままプリント注文受付装置の筐体外に配置されていた。
【特許文献１】特開２００４−８８７２６号公報
【発明の開示】
【発明が解決しようとする課題】
【０００５】
従って、プリント注文受付装置を劣悪な設置環境に置いた場合には、通信ケーブルのコネクタ等が塵埃の付着によって接触不良を起こしたり、いたずらされて破損する等して、動作が不安定になってしてしまう可能性も考えられる。
本発明は、かかる実情に鑑みてなされたものであって、その目的は、プリント注文受付装置の設置環境に拘らず、可及的に安定動作を可能とする点にある。
【課題を解決するための手段】
【０００６】
本出願の第１の発明は、写真撮影機能付きの携帯電話装置に通信ケーブルを接続して写真プリント作製用の画像データを取込むプリント注文受付装置において、前記通信ケーブルを収納するケーブル収納部が設けられ、前記ケーブル収納部に、前記通信ケーブルを取出すときに開き操作される開閉式扉体と、前記開閉式扉体の開き動作を許容する許容状態と前記開閉式扉体の開き動作を阻止する阻止状態とに切り換えられるロック手段とが備えられ、プリント注文を受付ける処理操作と連動して、前記ロック手段を前記阻止状態と前記許容状態とに切り換え制御する扉開閉管理装置が設けられている。
【０００７】
従って、携帯電話装置に接続して画像データを取込むための通信ケーブルは、使用しないときは、ケーブル収納部に収納される。
ケーブル収納部の開閉式扉体の開き動作を前記ロック手段によって阻止することで、ケーブル収納部に収納されている通信ケーブルは保護され、何人かが任意に開き操作するのを阻止しているので、コネクタ等への塵埃の付着やいたずらの被害等を可及的に防止できる。
しかも、前記ロック手段による開き動作の許容と阻止とは、プリント注文を受付けるための一連の動作と連動して自動的に行われるので、プリント注文受付装置の正規の利用者が操作負担を感じてしまうのを抑制できるものとなり、違和感無く利用者に受け入れられる。
【０００８】
又、本出願の第２の発明は、上記第１の発明の構成に加えて、利用者が写真プリントの作製料金を投入するための料金投入部が設けられ、前記扉開閉管理装置は、前記料金投入部から設定金額の料金が投入されたときに、前記ロック手段を前記阻止状態から前記許容状態へ切り換え制御するように構成されている。
すなわち、写真プリントの作製のための料金が投入されて、利用者が写真プリントを作製する意図を明示してから、初めて通信ケーブルをケーブル収納部から取出し可能となるので、通信ケーブルが不用意にケーブル収納部から取出されてしまうのを確実に阻止できる。
【０００９】
又、本出願の第３の発明は、上記第２の発明の構成に加えて、前記開閉式扉体の開閉状態を検出する開閉状態検出手段が設けられ、前記扉開閉管理装置は、前記ロック手段を前記阻止状態から前記許容状態へ切り換え制御した後、前記通信ケーブルが前記ケーブル収納部に収納されて、開き操作された前記開閉式扉体が閉じ状態となったことを前記開閉状態検出が検知した後に、前記ロック手段を前記許容状態から前記阻止状態へ切り換え制御すると共に、利用者に引き渡すべき物品を引き渡すための処理を実行させるように構成されている。
【００１０】
すなわち、プリント注文受付装置の利用者が受け取るべき物が、未だ何か残っている状態で、通信ケーブルをケーブル収納部に収納するために必要な操作を利用者に対して要求し、前記開閉式扉体が閉じ操作されたことを検出して、通信ケーブルがケーブル収納部に確実に収納されたことを確認してから、ロック手段によって前記開閉式扉体をロックすると共に、処理を次のステップに進めるのである。
これによって、プリント注文受付装置の利用者が、通信ケーブルを収納し忘れるのを回避することができる。
【００１１】
又、本出願の第４の発明は、上記第３の発明の構成に加えて、前記扉開閉管理装置は、前記ロック手段を前記阻止状態から前記許容状態へ切り換え制御した後、前記通信ケーブルが前記ケーブル収納部に収納されて、開き操作された前記開閉式扉体が閉じ状態となったことを前記開閉状態検出手段が検知した後に、前記ロック手段を前記許容状態から前記阻止状態へ切り換え制御すると共に、プリント処理の開始を指示入力されたときは、接続されているプリンタにプリント処理の開始を指示し、プリント注文の中止を指示入力されたときは、既に投入されている料金を利用者に返金させるように構成されている。
【００１２】
すなわち、プリント注文受付装置の利用者は、通信ケーブルをケーブル収納部に収納するために必要な操作を実行しないとプリント処理が開始されないので、通信ケーブルを収納し忘れることが無い。又、写真プリントを作製しようとする意思を途中で消失して、利用者がプリント注文の中止を指示入力した場合でも、通信ケーブルをケーブル収納部に収納するために必要な操作を実行しないと入金済みの金銭が返却されないので、通信ケーブルを収納し忘れることが無い。
【００１３】
又、本出願の第５の発明は、上記第１〜第４のいずれかの発明の構成に加えて、前記ケーブル収納部に、閉じ状態の前記開閉式扉体との間の隙間を封止する封止部材が備えられている。
従って、封止部材によって塵埃の侵入をより一層確実に阻止できる。
【発明の効果】
【００１４】
上記第１の発明によれば、利用者に操作負担を感じさせるのを可及的に抑制しながら、使用されていない通信ケーブルがケーブル収納部に収納されないで放置されてしまうのを抑制することができ、コネクタ等への塵埃の付着やいたずらの被害等を可及的に防止して、プリント注文受付装置の設置環境に拘らず、可及的に安定動作させることが可能となった。
又、上記第２の発明によれば、通信ケーブルが不用意にケーブル収納部から取出されてしまうのを確実に阻止できるので、通信ケーブルの保護をより一層確実なものとできる。
又、上記第３の発明によれば、プリント注文受付装置の利用者が、通信ケーブルを収納し忘れるのを回避することができるので、更に確実に通信ケーブルを保護することができる。
【００１５】
又、上記第４の発明によれば、利用者が写真プリントを作製する意思を維持した場合でも、又、プリント注文の意思を途中で消失してしまった場合でも、通信ケーブルをケーブル収納部に収納するために必要な操作が確実に履行され、通信ケーブルの保護も確実なものとなる。
又、上記第５の発明によれば、前記開閉扉体が閉じ状態にあるときに、ケーブル収納部への塵埃の侵入を確実に阻止することができ、通信ケーブルをケーブル収納部に収納しさえすれば通信ケーブルを保護できる状態を、確実に確保することができる。
【発明を実施するための最良の形態】
【００１６】
以下、本発明のプリント注文受付装置を、証明写真撮影用の自動写真撮影装置に備えた場合の実施の形態を図面に基づいて説明する。
自動写真撮影装置ＰＢは、図４の斜視図に示すように、街頭あるいは各種施設の構内等に設置して、利用者が自ら操作して写真プリントを作製する形態の装置である。尚、図４では、図面を見易くするために、フレームの手前側部分を２点鎖線にて示している。
【００１７】
自動写真撮影装置ＰＢは、図４に示すように、椅子１１が設置されて撮影対象となる利用者が位置する撮影室１と、各種の機器を収納する機器収納室２とからなり、機器収納室２の撮影室１側の側壁には、利用者を上方側から照明する上部照明ユニット１２と、利用者の撮影と情報の表示とを行うための透明窓１３と、装置の利用料金として硬貨及び紙幣を投入するための料金投入部１４と、各種の形式のメモリーカードの記録画像を読取るためのメモリーカード読取り部１５と、利用者が各種の指示を入力操作するためのコンソール１６と、テーブル１７と、テーブル１７の下面側の配置されて利用者を下方から照明する下部照明ユニット１８と、仕上がった写真プリントの排出箇所を覆うプリント取出用扉１９と、写真撮影機能付きの携帯電話装置から画像データを取込むための通信ケーブルを収納するケーブル収納部２０と、釣り銭等を返金するための釣り銭排出口２１とが配置されている。
【００１８】
機器収納室２の内部には、図５のブロック構成図に示すように、利用者を撮影するための撮像装置２２と、写真プリントを作製するプリンタ２３と、利用者等に対する各種の情報や撮像装置２２による撮影画像を表示するモニタ２４と、入出金ユニット２５と、これら各部を制御する制御装置２６と、制御装置２６が写真撮影機能付きの携帯電話装置と通信ケーブルを介して通信するための通信インターフェース２７とが備えられている。プリンタ２３は、例えば、昇華型熱転写プリンタ等にて構成される。
入出金ユニット２５は、料金投入部１４から投入された金銭の額を検出して、その入金を制御装置２６へ報知すると共に、入金額が制御装置２６から指定された金額より多額であるときに、釣り銭排出口２１へ釣り銭を排出する処理を行う。
撮像装置２２とモニタ２４とは、透明窓１３を通して利用者を撮像装置２２にて撮影すると共に、モニタ２４の表示画像を利用者が視認できるようにするために、透明窓１３から夫々に至る光路をハーフミラーにて分岐している。
【００１９】
ケーブル収納部２０には、ケーブル収納部２０の存在箇所付近を拡大して斜視図として示す図１乃至図３に示すように、開閉式扉体３１と、その開閉式扉体３１の奥側に位置するケーブル収納ボックス３２と、開閉式扉体３１の開き動作を許容する許容状態と開閉式扉体３１の開き動作を阻止する阻止状態とに切り換えられるロック手段ＬＫと、開閉式扉体３１の開閉状態を検出する開閉状態検出手段ＯＣとしての扉検出センサ３３とが備えられている。
【００２０】
前記ロック手段ＬＫは、図１に示すように、閉じ状態となったときの開閉式扉体３１の側脇に配置され、長手方向（水平方向）に移動自在に支持されているロックピン４１と、ロックピン４１を移動操作するためのカム４２と、カム４２を回転駆動するモータ４３とを備えて構成されている。
ロックピン４１は、図示を省略するスプリング等の付勢手段によってカム４２の存在側に復帰付勢されており、ロックピン４１の端部に備えたカムフォロアが常にカム４２のカム面に押圧されるように構成されている。
カム４２の回転動作に伴って、ロックピン４１の先端が開口３４よりもわずかに引退した状態（図１に示す状態）と、開口３４から開閉式扉体３１の存在側へ突出した状態とに切り換えられる。
【００２１】
開閉式扉体３１は、一端を縦軸芯周りに回動自在で、且つ、図示を省略する付勢手段によって弱い付勢力で開き側に復帰付勢されている。開閉式扉体３１の遊端側の側面には、突出作動したロックピン４１の先端を受け入れる係合孔３１ａが形成されている。
突出作動したロックピン４１の先端が、この係合孔３１ａに突入することによって、開閉式扉体３１の開き動作が阻止される。すなわち、ロック手段ＬＫは、ロックピン４１の先端が開口３４内へ引退した状態が前記許容状態となり、ロックピン４１の先端が突出作動した状態が前記阻止状態となる。
開閉式扉体３１が閉じ操作され、ロックピン４１の先端が係合孔３１ａに係合して閉じ状態を維持しているときは、図２に示すように、開閉式扉体３１は、機器収納室２の側壁と略面一となっている。
【００２２】
開き状態の開閉式扉体３１を図１とは反対側から見た状態を図示する図３に示すように、開閉式扉体３１の本体は一側が開放した浅底の箱状に形成され、内部にスポンジ状の封止部材３１ｂが充填されている。封止部材３１ｂは、それの外方側端部の面が、開閉式扉体３１の本体の端縁よりも外方側に若干量突出しており、開閉式扉体３１を閉じ状態としたときは、封止部材３１ｂがケーブル収納ボックス３２の開口部を密着状態で塞いで、ケーブル収納部２０の本体側と開閉式扉体３１との間の隙間を封止している。
これによって、開閉式扉体３１を閉じ状態としたときに、確実に塵埃の侵入を阻止できる。
この封止部材３１ｂが十分な弾性力を有しているときは、開閉式扉体３１を開き側に復帰付勢する付勢手段を省略することも可能である。
【００２３】
扉検出センサ３３は、反射式光センサにて構成されて、開閉式扉体３１の遊端側の先端部に対して検出作用して、それの存否を検出する。尚、この扉検出センサ３３はリミットスイッチ等によって構成しても良い。
ケーブル収納ボックス３２の更に奥側には、図示を省略するが、通信ケーブル３５を巻き取る巻取りリールが備えられている。
詳細な説明は省略するが、メモリーカード読取り部１５も、このケーブル収納部２０の開閉式扉体３１やロック手段ＬＫと同様の機構が備えられている。
【００２４】
上記構成の自動写真撮影装置ＰＢの主たる機能は、利用者の顔写真を撮影する機能であるが、写真プリント作製機能をより積極的に活用して、デジタルカメラの撮影画像や写真撮影機能付きの携帯電話装置ＨＰ（以下、単に「携帯電話装置ＨＰ」と略称する）の撮影画像で写真プリントを作製する機能をも備えさせている。
すなわち、換言すると、自動写真撮影装置ＰＢは、携帯電話装置ＨＰから写真プリント作製用の画像データを取込むプリント注文受付装置の機能と、実際に写真プリントを作製するプリンタの機能とを一体に備えている。
以下において、携帯電話装置ＨＰからプリント対象の画像の画像データを取込む場合の動作について説明する。
本実施の形態の自動写真撮影装置ＰＢは、携帯電話装置ＨＰから画像データを取込む画像データ取込み手段として、メモリーカードを装着可能な携帯電話装置ＨＰに対して、そのメモリーカードを携帯電話装置ＨＰから取外して、メモリーカード読取り部１５にて記録画像を取込む方法と、携帯電話装置ＨＰの外部接続端子に通信ケーブルを接続して、通信ケーブルを介して携帯電話装置ＨＰに記憶されている画像データを取込む方法との２系統の取込み手段を備えている。
【００２５】
次に、自動写真撮影装置ＰＢの利用者自身が操作する営業運転モードにおいて、携帯電話装置ＨＰから通信ケーブル３５を介して画像データを取込んで写真プリントを作製するように指示入力されたときの動作について説明する。
営業運転モードにおいて携帯電話装置ＨＰから画像データを取込んで写真プリントを作製するように指示入力されたときは、制御装置２６は、図６のフローチャートに示す処理を実行する。
先ず、モニタ２４に、設定金額の基本料金を投入すべき旨を表示する（ステップ＃１）。
この表示に従って利用者が基本料金を料金投入部１４へ投入して、入出金ユニット２５からその旨の信号が入力されると（ステップ＃２）、カム４２を１８０度回転させてロックピン４１を引退動作させる（ステップ＃３）。これによって、開閉式扉体３１が開き動作する。
【００２６】
開閉式扉体３１の開き操作と同時に、開いた開閉式扉体３１の奥のケーブル収納ボックス３２から通信ケーブル３５を引き出して、通信ケーブル３５のコネクタ３５ａを携帯電話装置ＨＰの外部接続端子へ接続するように案内する案内表示をモニタ２４に表示する（ステップ＃４）。
図１に示すように、通信ケーブルが携帯電話装置ＨＰに接続されて、それを検出すると（ステップ＃５）、携帯電話装置ＨＰから画像データの取込みを開始する（ステップ＃７）。
画像データの取込みが完了すると（ステップ＃８）、通信ケーブル３５を携帯電話装置ＨＰから取外して、ケーブル収納部２０へ収納するように案内する案内表示をモニタ２４に表示する（ステップ＃１０）。
【００２７】
利用者は、この案内表示に従って、コネクタ３５ａを携帯電話装置ＨＰから取外すと共に、その通信ケーブル３５をわずかに手前に引き操作して巻取りリールに巻き取らせて、通信ケーブル３５をケーブル収納ボックス３２に収納した後、更に、開閉式扉体３１を閉じ操作する。
閉じ操作された開閉式扉体３１の先端部を扉検出センサ３３が検出すると（ステップ＃１１）、カム４２を１８０度回転させてロックピン４１を突出作動させ、ロックピン４１の先端部を開閉式扉体３１の係合孔３１ａに係合させて、開閉式扉体３１の開き動作を阻止する阻止状態とする（ステップ＃１２）。
【００２８】
このようにして通信ケーブル３５が確実にケーブル収納部２０に収納された状態とした後に、各画像のプリント枚数等のプリント条件を入力するための入力画面をモニタ２４に表示する（ステップ＃１３）。
利用者が入力画面に従ってプリント枚数を入力すると、その入力の都度（ステップ＃１４）、モニタ２４に表示されている追加料金の料金表示を更新する（ステップ＃１４）。
利用者が、必要な入力操作を完了して（ステップ＃１６）、追加料金を料金投入部１４へ投入すると（ステップ＃１７）、携帯電話装置ＨＰから取込んだ画像データをプリンタ２３へ送ってプリント処理させる（ステップ＃１８）。
プリント処理が完了して仕上がった写真プリントは、プリント取出用扉１９の奥側位置へ排出され、利用者は、プリント取出用扉１９を開き操作して写真プリントを取出すことができる。
【００２９】
上記の通常のプリント処理ルートの他に、利用者が操作の途中で写真プリントを作製する意思を喪失する等して、処理を中止する場合もある。
開閉式扉体３１が開いた後に、利用者が処理の中止をコンソール１６から入力すると（ステップ＃６，＃９）、上記ステップ＃１０〜ステップ＃１２と同様に、通信ケーブル３５をケーブル収納部２０へ収納するように案内する案内表示をモニタ２４に表示し（ステップ＃１９）、利用者がこの案内表示に従って、通信ケーブル３５をケーブル収納ボックス３２に収納した後、更に、開閉式扉体３１を閉じ操作すると、閉じ操作された開閉式扉体３１の先端部を扉検出センサ３３が検出し（ステップ＃２０）、カム４２を１８０度回転させてロックピン４１を突出作動させて、開閉式扉体３１の開き動作を阻止する阻止状態とする（ステップ＃２１）。
このようにして通信ケーブル３５が確実にケーブル収納部２０に収納された状態とした後に、先に入金された基本料金を釣り銭排出口２１へ排出して利用者に返却する。
【００３０】
すなわち、制御装置２６は、プリント注文を受付ける処理操作と連動して、ロック手段ＬＫを前記阻止状態と前記許容状態とに切り換え制御する扉開閉管理装置ＤＣといて機能し、ロック手段ＬＫを前記阻止状態から前記許容状態へ切り換え制御した後、通信ケーブル３５がケーブル収納部２０に収納されて、開き操作された開閉式扉体３１が閉じ状態となったことを扉検出センサ３３（開閉状態検出手段ＯＣ）が検知した後に、ロック手段ＬＫを前記許容状態から前記阻止状態へ切り換え制御すると共に、プリント処理の開始を指示入力されたときは、接続されているプリンタ２３にプリント処理の開始を指示し、プリント注文の中止を指示入力されたときは、既に投入されている料金（基本料金）を利用者に返金するように指示している。
【００３１】
これは、換言すると、ロック手段ＬＫを前記阻止状態から前記許容状態へ切り換え制御した後、通信ケーブル３５がケーブル収納部２０に収納されて、開き操作された開閉式扉体３１が閉じ状態となったことを扉検出センサ３３（開閉状態検出手段ＯＣ）が検知した後に、ロック手段ＬＫを前記許容状態から前記阻止状態へ切り換え制御すると共に、利用者に引き渡すべき物品を引き渡すための処理を実行させていることになる。
このように、利用者が通信ケーブル３５をケーブル収納部２０に収納しない限り、本来受け取るべきものを受け取れない処理手順とすることで、ケーブル収納ボックス３２から引き出された通信ケーブル３５を収納し忘れて、あるいは、開閉式扉体３１を閉じ忘れて自動写真撮影装置ＰＢの設置箇所を離れてしまうのを防止できる。
【００３２】
〔別実施形態〕
以下、本発明の別実施形態を列記する。
（１）上記実施の形態では、ケーブル収納部２０では通信ケーブル３５の収納機能のみを備えさせる場合を例示しているが、図１に対応する図７及び図３に対応する図８に示すように、上記実施の形態では、メモリーカード読取り部１５に設置されることになるメモリカードリーダ５１をケーブル収納ボックス３２と並べて配置して、単一の開閉式扉体３１によって、メモリカードリーダ５１とケーブル収納ボックス３２に収納される通信ケーブル３５との双方を塵埃等から保護できるようにして、構成の簡素化を図っても良い。
尚、図７及び図８において、上記実施の形態と共通の構成要素については、上記実施の形態と同一符号を付している。
（２）上記実施の形態では、本発明のプリント注文受付装置を、プリンタ機能をも一体化した証明写真撮影用の自動写真撮影装置ＰＢに適用した場合を例示しているが、プリンタ機能がなくプリント注文の受付け機能のみを有するプリント注文受付端末にも本発明を適用できる。
【００３３】
（３）上記実施の形態では、閉じ状態の開閉式扉体３１との間の隙間を封止する封止部材３１ｂを開閉式扉体３１側に備える場合を例示しているが、ケーブル収納ボックス３２の開口端の周囲を封止部材で埋める等して、ケーブル収納部２０の本体側に備えるように構成しても良い。
（４）上記実施の形態では、開閉式扉体３１を揺動開閉式の扉として構成する場合を例示しているが、スライド移動式の扉にて構成する等、開閉式扉体３１の具体構成は種々に変更可能である。
（５）上記実施の形態では、開閉状態検出手段ＯＣとして機能する扉検出センサ３３は、開閉式扉体３１の存否を検出することによって、開閉式扉体３１が閉じ状態となったことを検出しているが、例えば、開閉式扉体３１の揺動回転軸にロータリエンコーダを備えて、開閉式扉体３１の回転角を検出することによって開閉式扉体３１が閉じ状態となったことを検出する等、開閉状態検出手段ＯＣの具体構成は種々に変更可能である。
【図面の簡単な説明】
【００３４】
【図１】本発明の実施の形態にかかる要部斜視図
【図２】本発明の実施の形態にかかる要部斜視図
【図３】本発明の実施の形態にかかる要部斜視図
【図４】本発明の実施の形態にかかる自動写真撮影装置の斜視図
【図５】本発明の実施の形態にかかる自動写真撮影装置のブロック構成図
【図６】本発明の実施の形態にかかるフローチャート
【図７】本発明の別実施形態にかかる要部斜視図
【図８】本発明の別実施形態にかかる要部斜視図
【符号の説明】
【００３５】
１４    料金投入部
２０    ケーブル収納部
３１    開閉式扉体
３１ｂ  封止部材
３５    通信ケーブル
ＤＣ    扉開閉管理装置
ＨＰ    携帯電話装置
ＬＫ    ロック手段
ＯＣ    開閉状態検出手段
【図１】
2005322023.tif 000003
【図２】
2005322023.tif 000004
【図３】
2005322023.tif 000005
【図４】
2005322023.tif 000006
【図５】
2005322023.tif 000007
【図６】
2005322023.tif 000008
【図７】
2005322023.tif 000009
【図８】
2005322023.tif 000010